(57)【要約】【課題】  病人や老人等の被介護者のおむつの取換えを容易に行えるようにする、簡易な構造のおむつ取換え介護装置を提供すること。【解決手段】  おむつ取換え介護装置は、足掛け部を備えた足掛け枠体と、該足掛け枠体が倒立自在に連結された基体と、該足掛け枠体の起立支持機構とからなり、前記起立支持機構は、前記足掛け部を水平に位置させて、前記足掛け枠体を前記基体に対して所望角度の起立状態で支持するように、該足掛け枠体と該基体との間に設けられており、使用に際して、足掛け部が仰向けに寝ている被介護者の両膝の下に位置するように足掛け枠体を配置した後、該足掛け部に該両膝が掛かった状態下に被介護者の脚部を持ち上げ、起立された該足掛け枠体を、所望の起立状態下に前記起立支持機構で支持するようになしてある。【選択図】    図３
2007000158.tif 000002
【特許請求の範囲】
【請求項１】
足掛け部を備えた足掛け枠体と、該足掛け枠体が倒立自在に連結された基体と、該足掛け枠体の起立支持機構とを具備してなり、
前記起立支持機構は、前記足掛け部を水平に位置させて、前記足掛け枠体を、水平に位置させた前記基体に対して所望角度の起立状態で支持するように、該足掛け枠体と該基体との間に設けられており、
前記足掛け枠体は、一対の起立枠と該起立枠間に架設された前記足掛け部とを備えて形成されており、前記基体は、一対の側枠を備えており、該足掛け枠体は、その一対の起立枠それぞれの一端部を介して、該基体の該一対の側枠に起立自在に連結され、該起立枠それぞれの他端部には、起立補助用の把持部を延設してある、おむつ取換え介護装置。
【請求項２】
前記起立支持機構は、前記足掛け枠体と前記基体との連結部にそれぞれ設けられた一対の屈曲支持体を具備しており、一対の該屈曲支持体は、それぞれ、一端部近傍が前記足掛け枠体に連結されている第１支持片と、一端部近傍が前記基体の前記側枠に連結されている第２支持片とを備えており、該第１支持片と該第２支持片とはそれぞれの他端部近傍で互いに連結されており、一対の前記屈曲支持体により、前記足掛け枠体を前記基体に対して所望角度の起立状態で支持するようになしてある、請求項１記載のおむつ取換え介護装置。
【請求項３】
前記起立支持機構は、一対の前記屈曲支持体間に架設された支持固定棒を備えており、該支持固定棒を介して、一対の前記屈曲支持体で前記足掛け枠体を所望角度の起立状態で支持固定するようになしてある、請求項２記載のおむつ取換え介護装置。
【請求項４】
前記足掛け部が、円筒体又は円柱体で、その円周方向に回動自在に架設されており、該足掛け部の周囲に柔軟性部材が巻回されている、請求項１〜３の何れか１項に記載のおむつ取換え介護装置。
【請求項５】
前記足掛け部が、一対の前記起立枠間において、着脱自在に且つ複数箇所移動自在に架設されている、請求項１〜4の何れか１項に記載のおむつ取換え介護装置。
【発明の詳細な説明】
【技術分野】
【０００１】
本発明は、おむつ取換え介護装置、詳しくは、病人や老人等の被介護者のおむつの取換えを容易に行えるようにする、簡易な構造のおむつ取換え介護装置に関する。
【背景技術】
【０００２】
従来より、病人や老人等の寝たきりの被介護者のおむつの取換えは、通常、被介護者の脚部及び腰部を持ち上げて行っており、このような持ち上げ作業には、数人の介護者を必要とする等、多大な労力を要した。
そこで、介護者の労力を軽減するために、一人の介護者により被介護者の脚部及び腰部を持ち上げ可能にした装置として、特開２００２−１７７９６号公報、特開２００１−５４５３０号公報及び特開２０００−１７５９５１号公報等に記載の発明等が提案されている。
【０００３】
しかし、上述の装置による場合、体の硬い被介護者にとって、おむつの取換え時に、脚部と共に腰部を持ち上げられることは、腰部に負担が掛かり大きな苦痛を伴う他に、上述の装置は下記のような問題を有していた。
特開２００２−１７７９６号公報に記載の装置は、脚部の膝裏に当接するリフト手段、該リフト手段を被介護者の方向に旋回して持ち上げる旋回手段及びこれによって持ち上げられたリフト手段を更に介護者の方向に競り上げて持ち上げる競上手段を具備してなるもので、構造的に大掛かりな装置である。
また、特開２００１−５４５３０号公報に記載の装置は、簡易な構造ではなく、使用に際して、介護者が被介護者の脚部を持ち上げて脚受１９の上に配置する必要がある等、それなりの労力を要するものである。
特開２０００−１７５９５１号公報に記載の器具は、比較的簡易な構造の物ではあるが、使用時において、介護者が器具から手を離すと倒れ易い物であった。
また、本発明者等は、上述の装置の欠点を改良した装置として、特開２００４−１３２４１７号公報に記載の発明を提案したが、この装置は、足掛け枠体の起立操作に労力を要した。
【０００４】
【特許文献１】特開２００２−１７７９６号公報
【特許文献２】特開２００１−５４５３０号公報
【特許文献３】特開２０００−１７５９５１号公報
【特許文献４】特開２００４−１３２４１７号公報
【発明の開示】
【発明が解決しようとする課題】
【０００５】
従って、本発明の目的は、病人や老人等の被介護者のおむつの取換えを容易に行えるようにする、操作が容易で簡易な構造のおむつ取換え介護装置を提供することにある。
【課題を解決するための手段】
【０００６】
本発明は、足掛け部を備えた足掛け枠体と、該足掛け枠体が倒立自在に連結された基体と、該足掛け枠体の起立支持機構とを具備してなり、
前記起立支持機構は、前記足掛け部を水平に位置させて、前記足掛け枠体を、水平に位置させた前記基体に対して所望角度の起立状態で支持するように、該足掛け枠体と該基体との間に設けられており、
前記足掛け枠体は、一対の起立枠と該起立枠間に架設された前記足掛け部とを備えて形成されており、前記基体は、一対の側枠を備えており、該足掛け枠体は、その一対の起立枠それぞれの一端部を介して、該基体の該一対の側枠に起立自在に連結され、該起立枠それぞれの他端部には、起立補助用の把持部を延設してありある、おむつ取換え介護装置を提供することにより、上記目的を達成したものである。
【発明の効果】
【０００７】
本発明のおむつ取換え介護装置は、簡易な構造で、使用に際して、前記足掛け枠体を起立させて、前記足掛け部に、仰向けに寝ている被介護者の両膝が掛かった状態下に被介護者の脚部を持ち上げ、起立された該足掛け枠体を、所望角度の起立状態下に前記起立支持機構で支持するようになしてあるため、本発明のおむつ取換え介護装置によれば、被介護者の体を、簡便な操作で容易におむつ取換え可能な状態にすることができる。その結果、一人の介護者でおむつを容易に取り替え可能であるから、おむつ取り替え時に被介護者へ無用な負担をかけること無く、労力の軽減化も図れる。
【発明を実施するための最良の形態】
【０００８】
本発明のおむつ取換え介護装置を、その好ましい一実施形態について、図１〜図７を参照して説明する。
本実施形態のおむつ取換え介護装置は、図１〜図３に示すように、足掛け部１２を備えた足掛け枠体１と、該足掛け枠体１が倒立自在に連結された基体２と、該足掛け枠体１の起立支持機構３とからなっている。
前記起立支持機構３は、前記足掛け部１２を水平に位置させて、前記足掛け枠体１を、水平に位置させた前記基体２に対して所定角度αの起立状態で支持するように、該足掛け枠体１と該基体２との間に設けられている。
前記足掛け枠体１は、一対の平行な起立枠１１，１１と該起立枠１１，１１間に架設された前記足掛け部１２とを備えてH字状に形成されており、前記基体２は、一対の平行な
側枠２１，２１を備えている。また、前記足掛け枠体１は、その一対の起立枠１１，１１それぞれの一端部１１Ａ，１１Ａを介して、該基体２の該一対の側枠２１，２１に起立自在に連結され、該起立枠１１，１１それぞれの他端部１１B，１１Bには、起立補助用の把持部１４，１４を延設してある。
【０００９】
本実施形態のおむつ取換え介護装置について詳述すると、図１〜図５に示すように、前記起立支持機構３は、前記足掛け枠体１と前記基体２との連結部にそれぞれ設けられた一対の屈曲支持体３１，３１と、該屈曲支持体３１，３１間に架設された支持固定棒３２とを具備し、一対の該屈曲支持体３１，３１は、それぞれ、一端部近傍が前記足掛け枠体１に連結されている第１支持片Xと、一端部近傍が前記基体２の前記側枠２１に連結されて
いる第２支持片Yとからなり、該第１支持片Xと該第２支持片Yとはそれぞれの他端部近傍
で互いに回動自在に連結されており、前記支持固定棒３２を介して、一対の前記屈曲支持片３１により前記足掛け枠体を前記基体に対して所定角度αの起立状態で支持するようになしてある。
【００１０】
前記第１支持片Xと前記第２支持片Yとは、前記足掛け枠体１と前記基体２とを折り重ねた状態では、図１及び図６に示すように、それらの連結部で屈曲しており、前記足掛け枠体１の起立状態では、図３及び図７に示すように、該第１支持片Xと該第２支持片Yとが略直列状態となって、前記足掛け枠体１を前記基体２に対して所定角度αの起立状態で支持するようになっている。また、前記第１支持片Xと前記第２支持片Yとが、前記の略直列状態を通過して屈曲状態を形成しないように、図示の如く、それらの連結部近傍にそれぞれ突起X’,Y’が設けられており、図５に示すように、それらが噛み合うようになしてある
。
【００１１】
また、前記足掛け枠体１は、金属製のパイプ材で、前記把持部１４を除いてH字状に形成されており、その前記足掛け部１２は、円筒体又は円柱体でその円周方向に回動自在に架設されており、該足掛け部１２の周囲には柔軟性部材１３が巻回されている。足掛け部１２の幅は、被介護者Pの２つの脚部P２の幅よりも充分に広くなっている。
【００１２】
また、前記足掛け枠体１は、前記足掛け部１２が、図３に示すように、一対の前記起立枠１１，１１間において、着脱自在に且つ複数箇所移動自在に架設されていても良く、このような実施形態によれば、被介護者の脚の長さに応じて、図３に示すように、前記足掛け部１２を足掛け部１２’の位置に移動させることも出来る。このような実施形態にするためには、前記起立枠１１，１１の所定位置にそれぞれに前記足掛け部１２の軸を支持する支持孔１２P、１２P’を設ければ良い。
【００１３】
前記柔軟性部材１３は、使用時における被介護者Pの両膝P１と足掛け部１２との緩衝材としての役割を果たすもので、本実施形態においては、足掛け部1２を被嵌し得る円筒状の発泡ウレタン材を用いている。
【００１４】
前記基体２は、前記足掛け枠体１と同じく金属製のパイプ材から形成されており、その前記側枠２１，２１が、図１〜図３に示すように、連結枠２２，２３によって連結されて形成された枠体からなり、該側枠２１，２１それぞれの一端部２Ａ、２Aは開放端となさ
れ、他端部２B，２Bは一方の連結枠２２で閉鎖されている。他方の連結枠２３は、使用時における被介護者Ｐへの接触感を緩衝するように平板で形成されている。前記基体２の側枠２１，２１間の幅は、足掛け枠体１の起立枠１１，１１の幅と同じになっている。
【００１５】
起立補助用の前記把持部１４，１４は、起立枠１１，１１それぞれの延長上の他端部１１B，１１Bに延設してあり、前記基体２に向けて屈曲され、該把持部１４，１４を介護者が両手で片方づつ把持して該起立枠１１，１１を容易に起立出来るようになしてある。また、図３に示すように、前記把持部１４，１４間を、連結部１４’で連結することも出来、このようにすることにより、例えば、ベット上に寝ている被介護者のおむつ取換えに際し、介護者は片手で連結部１４’の中央部を握り、前記起立枠１１，１１の倒立操作を行うことが出来る。
【００１６】
本実施形態のおむつ取換え介護装置は、上述した構成からなるため、図７に示すように、起立させた足掛け枠体１を所定の起立角度αで支持することができる。この起立角度αは、前記起立支持機構３においては調節不可であるが、起立支持機構を換えるすることにより、起立角度αを変更することができる。
【００１７】
次に、本実施形態のおむつ取換え介護装置の一使用態様について、図１〜図７を参照しながら説明する。
先ず、図１に示すように、基体２の上に足掛け枠体1を折り重ねた状態（基体２に対し
て足掛け枠体1を伏倒させた状態）のおむつ取換え介護装置を、介護者（図示せず）によ
り、図６に示すように、足掛け部１２が仰向けに寝ている被介護者Ｐの両膝Ｐ１の下に位置し且つ前記足掛け枠体１が該両膝P１より身体の足P５の方向に位置するように、該足掛け枠体１を配置する。
【００１８】
次に、図６に示す状態から、介護者（図示せず）は、足掛け枠体１１の把持部１４を持ち、足掛け部１２に被介護者Ｐの両膝Ｐ１が掛かった状態下に、該把持部１４を持ち上げて該足掛け枠体１１を起立させる。該足掛け枠体１を持ち上げ、該足掛け枠体１が、略図２（図６における２点鎖線）に示す起立状態下に到ったら、前記起立支持機構３の支持固定棒３２を、介護者の足を使って図上左方向に押し込んで屈曲支持体３１を、図３（図７）の位置に固定させる。この状態下においては、被介護者Ｐは、図７に示す状態となる。
【００１９】
然る後、図７に示すように、被介護者Ｐの脚部Ｐ２を持ち上げた状態下（この状態下に、僅かに臀部P３及び腰部P４も持ち上げられる）で、被介護者Ｐが着用しているおむつ（図示せず）の止着部分を展開する。そして、展開したおむつを図７の右方に引き出し、足掛け枠体１及び基体２の枠体内を通過させて、被介護者Ｐからおむつを外す。
おむつを外した後、被介護者Ｐの臀部等の汚れを除去する。その後、新しいおむつ（図示せず）を、図４の左方に向けて足掛け枠体１及び基体２の枠体内を通過させて、被介護者Ｐの臀部P３及び腰部P４の下に引き入れ、所定の操作で被介護者Ｐに装着する。このようにして、被介護者Ｐのおむつを取換えることができる。
【００２０】
尚、前記足掛け部1２は、起立枠１１，１１間に該足掛け部1２の周方向に回動自在に懸架されているため、図7の状態から、被介護者の脚部P２を図上右方向に伸ばさせることにより、被介護者Ｐの臀部P３及び腰部P４の下部に更に空間を設けて、被介護者Ｐのおむつ
の取換え操作を更に容易にすることができる。
【００２１】
本実施形態のおむつ取換え介護装置は、前述した構成からなるため、一人の介護者のみで、上述の実施態様により、あお向けに寝た被介護者Ｐの体を、容易におむつ取換え可能な状態にすることができる。この際、被介護者Ｐの腰部P４を過度に持ち上げないため、
被介護者Ｐの腰部P４に負担が掛かることがない。しかも、本実施形態のおむつ取換え介
護装置は、簡易で且つコンパクトな構造であるため、持ち運び及び操作が容易で且つ安価に製作可能である。
【００２２】
本発明のおむつ取換え介護装置は、前記実施形態に制限されることなく、本発明の趣旨を逸脱しない限り、以下に示すように適宜変更が可能である。
前記実施形態では、前記足掛け枠体１は、略H字状に形成されているが、H字状に制限されず、また、基体１は、足掛け枠体1に倒立自在に連結され、該足掛け枠体1を所望の起立角度で支持可能であれば、枠体に限らない。
また、起立支持機構３は、足掛け枠体１を基体２に対して所望の起立角度で支持出来るようになされていれば、実施例で用いている屈曲支持体に限らず、例えば、段階的に調節可能な機構等を用いても良い。また、実施例の起立支持機構３においては、支持固定棒３２を設けなくても良く、突起X',Y'の先端を長くして該先端に支持固定棒３２の機能を付
与することも出来る。また、足掛け枠体及び基体は、金属材に限らず合成樹脂等から形成することができ、パイプ材に限らず中実の棒材、板材等から形成することもできる。柔軟性部材１３としては、適度な柔軟性を有するものであれば、発泡樹脂材、布材等の種々の部材を用いることができる。被介護者に用いられるおむつは、所謂使い捨ておむつでも布等からなる通常のおむつでもよい。
【図面の簡単な説明】
【００２３】
【図１】図１は、本発明の好ましい一実施形態のおむつ取換え介護装置を、折り重ね状態で示す斜視図である。
【図２】図２は、図１に示すおむつ取換え介護装置における足掛け枠体の起立状態に到る途中段階を示す斜視図である。
【図３】図３は、図１に示すおむつ取換え介護装置において、一部を改良した足掛け枠体の起立状態を示す斜視図である。
【図４】図４は、図１に示すおむつ取換え介護装置における起立支持機構の一要部を示す斜視図である。
【図５】図５は、図３に示すおむつ取換え介護装置における起立支持機構の一要部を示す斜視図である。
【図６】図６は、図１に示すおむつ取換え介護装置の使用開始時における使用状態の概要を示す側面図である。
【図７】図７は、図１に示すおむつ取換え介護装置の使用状態の概要を示す側面図である。
【符号の説明】
【００２４】
１  足掛け枠体
１１  起立枠
１１Ａ  端部
１２  足掛け部
１３  柔軟性部材
２  基体
２１  側枠
２Ａ  端部
３  起立支持機構
３１  屈曲支持体
３２  支持固定棒
Ｐ  被介護者
Ｐ１  両膝
Ｐ２  脚部
Ｐ３  臀部
Ｐ４  腰部
【図１】
2007000158.tif 000003
【図２】
2007000158.tif 000004
【図３】
2007000158.tif 000005
【図４】
2007000158.tif 000006
【図５】
2007000158.tif 000007
【図６】
2007000158.tif 000008
【図７】
2007000158.tif 000009